(57)【要約】【課題】所定の圧縮方式で圧縮された音声データを伸長するための既存の信号処理ＬＳＩやＤＳＰを活用することにより、安価にかつ高音質の音声案内を出力する。【解決手段】オーディオデコーダ１４は所定の圧縮方式でエンコードされた音声データをデコードし、マイコン３はマルチチャンネルの各スピーカが順次テストトーンを出力する際にどのスピーカから出力されるかを示す音声案内を、あらかじめオーディオデコーダがデコード可能な圧縮方式でエンコードした音声データで記憶し、テストトーンを発生する際にオーディオデコーダが音声データをデコードしてマルチチャンネルの各スピーカのいずれかに出力するように制御する。【選択図】図５
2007184861.tif 000002
【特許請求の範囲】
【請求項１】
所定の圧縮方式でエンコードされた音声データをデコードするデコーダを有するオーディオ再生装置において、
複数のスピーカにそれぞれ順次出力するためのテストトーン信号を発生するテストトーン信号発生手段と、
各前記複数のスピーカが順次テストトーンを出力する際に出力すべきスピーカを特定する音声案内を、あらかじめ前記デコーダがデコード可能な圧縮方式でエンコードした音声データで記憶し、前記テストトーン信号発生手段がテストトーン信号を発生する際に前記デコーダが前記音声データをデコードして前記複数のスピーカのいずれかに出力するように制御する制御手段とを、
備えたことを特徴とするオーディオ再生装置。
【請求項２】
所定の圧縮方式でエンコードされて外部から入力される音声データをデコードするデコーダを有するオーディオ再生装置において、
前記外部からの音声データの入力がないことを示す音声案内を、あらかじめ前記デコーダがデコード可能な圧縮方式でエンコードした音声データで記憶し、前記オーディオ再生装置において所定のユーザ操作が行われたときに前記デコーダが前記音声データをデコードして外部スピーカに出力するように制御する制御手段を、
備えたことを特徴とするオーディオ再生装置。
【請求項３】
所定の圧縮方式でエンコードされて外部から入力される音声データをデコードするデコーダを有するオーディオ再生装置において、
ユーザが所定の条件を設定したときに前記設定が完了したことを示す音声案内を、あらかじめ前記デコーダがデコード可能な圧縮方式でエンコードした音声データで記憶し、前記設定が完了したときに前記デコーダが前記音声データをデコードして外部スピーカに出力するように制御する制御手段を、
備えたことを特徴とするオーディオ再生装置。
【請求項４】
所定の圧縮方式でエンコードされて外部から入力される音声データをデコードするデコーダを有するオーディオ再生装置において、
外部ネットワークから入来するメールや制御信号を受信する手段と、
前記メールに対応する音声案内、あるいは、前記制御信号に基づく音声案内を、あらかじめ前記デコーダがデコード可能な圧縮方式でエンコードした音声データで記憶しておき、前記メールや制御信号の受信の際、あるいは、所定時間経過後に前記デコーダが前記音声データをデコードして外部スピーカに出力するように制御する制御手段とを、
備えたことを特徴とするオーディオ再生装置。
【請求項５】
所定の圧縮方式でエンコードされて外部から入力されるカーナビゲーション用の音声データをデコードするデコーダを有するカーナビゲーション装置のオーディオ再生装置において、
ユーザが前記カーナビゲーション装置の操作を行うための操作手段と、
ユーザが行うべき前記操作手段による所定の操作が行われなかったときに前記所定の操作を促す音声案内を、あらかじめ前記デコーダがデコード可能な圧縮方式でエンコードした音声データで記憶し、前記所定の操作が行われなかったときに前記デコーダが前記音声データをデコードして外部スピーカに出力するように制御する制御手段とを、
備えたことを特徴とするオーディオ再生装置。
【発明の詳細な説明】
【技術分野】
【０００１】
本発明は、所定の圧縮方式で圧縮された音声データを伸長するデコーダを有するオーディオ再生装置に関する。
【背景技術】
【０００２】
音声案内を出力する従来技術としては、例えば下記の特許文献１、２に開示されているものがある。
【特許文献１】特許第３４０２８９４号公報（図１）
【特許文献２】特許第３４３８３９０号公報（図１）
【発明の開示】
【発明が解決しようとする課題】
【０００３】
ところで、音声案内データをメモリに格納する場合、ＰＣＭ（pulse code modulation）データで記録しようとすると大量のメモリを必要とするため、そのデータ量を削減するためにＰＣＭデータを圧縮してメモリに記録していた。しかし、これらの圧縮処理は、簡便な処理であるダウンサンプリングやＡＤＰＣＭ（adaptive difference pulse code modulation）などの圧縮によりデータの容量を削減して記録していたため、音声の品位や音質としては決して満足のいくものではなかった。
【０００４】
一方、近年、地上波やＢＳのデジタルＴＶ放送、ＤＶＤなどの音源は、Dolby Digital、dts、AAC（いずれも登録商標）などの所定の圧縮方式で圧縮されているので、ＡＶアンプやＤＶＤプレーヤにはこれらを伸長するデコーダがそれぞれ搭載されている。また、これらのデコーダはＤＳＰ（Digital Signal Processor）により構成されている。さらに、昨今のデジタルメディアの急速な普及、また放送のデジタル化などにより、家電製品はアナログからデジタルへと大きく変化を遂げ、これらデジタル家電と呼ばれる製品では、データの圧縮伸張処理用にＬＳＩを搭載することが必須となっている。
【０００５】
そこで本発明では、所定の圧縮方式で圧縮された音声データを伸長するための既存の信号処理ＬＳＩやＤＳＰを活用することにより、安価に高音質の音声案内を出力することができるオーディオ再生装置を提供することを目的とする。
【課題を解決するための手段】
【０００６】
本発明は上記目的を達成するために、所定の圧縮方式でエンコードされた音声データをデコードするデコーダを有するオーディオ再生装置において、
複数のスピーカにそれぞれ順次出力するためのテストトーン信号を発生するテストトーン信号発生手段と、
各前記複数のスピーカが順次テストトーンを出力する際に出力すべきスピーカを特定する音声案内を、あらかじめ前記デコーダがデコード可能な圧縮方式でエンコードした音声データで記憶し、前記テストトーン信号発生手段がテストトーン信号を発生する際に前記デコーダが前記音声データをデコードして前記複数のスピーカのいずれかに出力するように制御する制御手段とを備えたことを特徴とする。
【０００７】
また本発明は上記目的を達成するために、所定の圧縮方式でエンコードされて外部から入力される音声データをデコードするデコーダを有するオーディオ再生装置において、
前記外部からの音声データの入力がないことを示す音声案内を、あらかじめ前記デコーダがデコード可能な圧縮方式でエンコードした音声データで記憶し、前記オーディオ再生装置において所定のユーザ操作が行われたときに前記デコーダが前記音声データをデコードして外部スピーカに出力するように制御する制御手段を備えたことを特徴とする。
【０００８】
また本発明は上記目的を達成するために、所定の圧縮方式でエンコードされて外部から入力される音声データをデコードするデコーダを有するオーディオ再生装置において、
ユーザが所定の条件を設定したときに前記設定が完了したことを示す音声案内を、あらかじめ前記デコーダがデコード可能な圧縮方式でエンコードした音声データで記憶し、前記設定が完了したときに前記デコーダが前記音声データをデコードして外部スピーカに出力するように制御する制御手段を備えたことを特徴とする。
【０００９】
また本発明は上記目的を達成するために、所定の圧縮方式でエンコードされて外部から入力される音声データをデコードするデコーダを有するオーディオ再生装置において、
外部ネットワークから入来するメールや制御信号を受信する手段と、
前記メールに対応する音声案内、あるいは、前記制御信号に基づく音声案内を、あらかじめ前記デコーダがデコード可能な圧縮方式でエンコードした音声データで記憶しておき、前記メールや制御信号の受信の際、あるいは、所定時間経過後に前記デコーダが前記音声データをデコードして外部スピーカに出力するように制御する制御手段とを備えたことを特徴とする。
【００１０】
また本発明は上記目的を達成するために、所定の圧縮方式でエンコードされて外部から入力されるカーナビゲーション用の音声データをデコードするデコーダを有するカーナビゲーション装置のオーディオ再生装置において、
ユーザが前記カーナビゲーション装置の操作を行うための操作手段と、
ユーザが行うべき前記操作手段による所定の操作が行われなかったときに前記所定の操作を促す音声案内を、あらかじめ前記デコーダがデコード可能な圧縮方式でエンコードした音声データで記憶し、前記所定の操作が行われなかったときに前記デコーダが前記音声データをデコードして外部スピーカに出力するように制御する制御手段とを備えたことを特徴とする。
【発明の効果】
【００１１】
本発明によれば、所定の圧縮方式で圧縮された音声データを伸長するための既存の信号処理ＬＳＩやＤＳＰを活用することにより、安価に高音質の音声案内を出力することができる。
【発明を実施するための最良の形態】
【００１２】
以下、図面を参照して本発明の実施の形態について説明する。図１は本発明に係るオーディオ再生装置の一実施の形態としてマルチチャンネルのＡＶ（Audio/Video）アンプを示すブロック図である。ＤＳＰ１では、外部からデジタル入力インタフェースやＡＤコンバータなどの入力Ｉ／Ｆ２を介して入力された信号がストリームか非圧縮のＰＣＭ信号かを判断し、ストリームと認識した場合は、更にどの圧縮フォーマットで圧縮されているかを判断してデコーダの処理へと移行し、デコードした信号をＤＡコンバータ（ＤＡＣ）４を介して外部スピーカＳＰに出力する。本発明では、音声案内を出力する場合には、図２に示すようにこの外部から入力された信号の代わりに、マイクロコンピュータ（以下、マイコン）３からＤＳＰ１内のデコーダがデコード可能な圧縮方式であらかじめエンコードしておいた音声案内信号をＤＳＰ１へ転送し、それをデコードして音声として再生する。
【００１３】
図３はＤＳＰ１の詳細な構成を示すブロック図である。ＤＳＰ１はマイコン３からの音声案内データを一時的に記憶するメモリ１１と、ストリーム・ＰＣＭデータ又は音声案内データを選択するセレクタ１２と、入力バッファ１３と、オーディオデコーダ１４と、ＰＣＭのテストトーン信号を発生するテストトーン信号発生部１５と、このテストトーン信号又はオーディオデコーダ１４の出力を選択するセレクタ１６と、サンプリングレート・コンバータ１７と出力バッファ１８により構成されている。ここで、オーディオデコーダ１４は１つとして図示されているが、各種の圧縮方式でエンコードされた音声データをデコードするためにはそれぞれの方式に対応したデコーダが設けられる。通常、入力Ｉ／Ｆ２からセレクタ１２を介して入力される圧縮ストリームのデコードは１パケット分のデータを入力バッファ１３に蓄積し、そこに転送エラーがないと判断されるとオーディオデコーダ１４へと移される。オーディオデコーダ１４では圧縮データがＰＣＭ音声信号に変換され、このＰＣＭ音声信号はセレクタ１６、サンプリングレート・コンバータ１７、出力バッファ１８を経由してＤＡＣ４に印加されてアナログの音声信号になり、外部スピーカＳＰに出力される。
【００１４】
外部から入力される圧縮ストリーム（及びＰＣＭデータ）の代わりに、マイコン３に記憶されている音声案内を出力する場合には、メモリ１１、セレクタ１２、入力バッファ１３を介してオーディオデコーダ１４に転送する。マイコン３からの転送は入力Ｉ／Ｆ２からの入力とは違い、リアルタイム性がないため、あらかじめＤＳＰ１内部にあるメモリ１１へとデータを転送しておく。これにより、比較的安価で低速なマイコン３でもシリアルのデータ転送が可能となる。転送後は、オーディオデコーダ１４にストリームデータとして渡し、音声信号に変換して再生する。
【００１５】
次に上記システムを用いてテストトーンを再生する際に、実際に再生されるチャンネルのスピーカのチャンネル情報を発話する場合について述べる。テストトーンは、マルチチャンネルの音声を再生できるＡＶアンプやＤＶＤプレーヤでは必須の機能として搭載されている。このテストトーンには通常ピンクノイズが用いられ、このテストトーンの再生は、ユーザから各チャンネルのスピーカまでの距離や、各チャンネルのスピーカの大きさに応じて各出力音量を揃えるため使われる。この信号は、テストトーン信号発生部１５からセレクタ１６、サンプリングレート・コンバータ１７、出力バッファ１８、ＤＡＣ４を経由して各チャンネルのスピーカに印加されて１ｃｈずつ順番に再生される。図４に一般的な７．１ｃｈのスピーカ配置を示す。
【００１６】
また、ユーザにより上記の設定がされない場合には各チャンネルとも、同じ音量で再生される。したがって、ユーザはどのチャンネルから再生されるのか、あるいはどのチャンネルが再生されているのか（スピーカの結線を間違えたとき、あるいは接続ミスで音が出ないときなど）、判断に困ることがある。そこで、このテストトーンが再生される前に、これから、どのチャンネルのテストトーンを再生するか、実際に再生するスピーカから順次、あるいはフロントのスピーカＬ／Ｒのみから音声で発話しユーザに認識させる。これにより、結線ミスや音量を調整するための目安になるため、スムーズな音量や周波数特性の修正が可能となる。
【００１７】
図５は巡回テストトーン出力時の音声案内出力動作を示すフローチャートである。ここで、ＡＶアンプの立ち上げ時に、ユーザが使用スピーカの種類、大きさ（大／小／設定なし）、各スピーカまでの距離（ｍ）を設定すると、ＡＶアンプは巡回テストトーン出力時にこの設定内容に応じた音量のテストトーン信号を各スピーカに順次出力する。このとき、テストトーン信号を各スピーカに出力する順番は、例えば図４に示す７．１ｃｈの場合、ＬＦＥ→Ｌ→Ｒ→Ｃ→ＳＬ→ＳＲ→ＢＬ→ＢＲである。図５において、巡回テストトーン出力が開始されると、「テストトーンの再生を開始します」の音声案内を出力し（ステップＳ１）、次いでテストトーン出力スピーカを示す音声案内（例えば「Front Left Channel」など）を出力する（ステップＳ２）。次いで設定スピーカの大きさを示す音声案内（例えば「Large/Small/なし」）を出力し（ステップＳ３）、次いで各スピーカまでの設定距離を示す音声案内（例えば「距離３ｍです」）を出力する（ステップＳ４）。次いでテストトーン信号を当該スピーカに出力し（ステップＳ５）、次いで次のチャンネルがあればステップＳ６からステップＳ２に戻る。そして、ステップＳ６において次のチャンネルがなければステップＳ７に進み、テストトーン出力を終了し、通常再生に移行する。
【００１８】
また、ＡＶアンプでは、入力の信号線を初めて結線した場合、あるいは、その入力元となるＤＶＤプレーヤからの入力信号が無かった場合（入力セレクタの設定ミス）など、ユーザは音が出て欲しいと思っているときでも、音が出ないことが起こる。このときユーザは音量を上げたり、セレクタをやみくもにいじったりすることになる。この場合、入力がないことを音声で知らせることにより、不要な事態（無音の時に音量を上げすぎて、いきなり信号入力が来るとスピーカに過大入力がスピーカ入りスピーカを壊してしまうなど）を避けることができる。音声の発話は、やみくもに行うとうるさいので、無入力で、かつユーザがボリュームあるいは入力ソースセレクタ（いずれも不図示）を操作したときに行うのがよい。
【００１９】
図６はＤＶＤプレーヤからの入力時の動作を説明するためのフローチャートである。図６において、ＡＶアンプセットの電源がオンになり（ステップＳ１０）、次いで入力ソースセレクタがＤＶＤプレーヤ再生に切り替わると（ステップＳ１１）、入力ストリームが存在するか否かを判別する（ステップＳ１２）。入力ストリームがない場合にはその旨を示す音声案内（例えば「入力信号がありません」）を出力し（ステップＳ１３）、また、表示器（不図示）にはその旨を示す表示案内（例えば「No Input Signal」）を出力し（ステップＳ１４）、次いでステップＳ１１に戻る。
【００２０】
ステップＳ１２において入力ストリームが存在する場合には入力ストリームを取り込み（ステップＳ１５）、入力ストリームの圧縮方式が同じか否かを判別する（ステップＳ１６）。そして、圧縮方式が同じでない場合には新しい圧縮方式を示す音声案内（例えば「入力ストリームがＡＡＣに変わりました」）を出力する（ステップＳ１７）。次いで入力ストリームのチャンネル数が同じか否かを判別し（ステップＳ１８）、同じでない場合には新しいチャンネル数を示す音声案内（例えば「再生チャンネルがステレオから５．１ｃｈに変わりました」）を出力し（ステップＳ１９）、次いでステップＳ２０の通常再生に進む。ステップＳ１６において圧縮方式が変化していない場合、及びステップＳ１８においてチャンネル数が変化していない場合には、ステップＳ２０の通常再生に進み、次いでステップＳ１５に戻る。
【００２１】
その他にも、時計機能を内蔵させ、一定時間ごとに音声案内を再生させたり、あるいはアラーム時刻を設定し、特定の時刻に音声を再生させるなどが考えられる。また、図７に示すように、ネットワーク（ＮＷ）に接続し、メールが届いたときに報知音や受信メールがある旨の音声案内を出力させてもよい。また、受信から所定時間経過後、自発的にあるいは操作により「メールを受信しました」というような音声案内を出力させてもよい。さらに、ネットワークを通じて外部から入来する制御信号により制御され得る構成とし、その制御信号に基づく種々の音声案内を、オーディオデコーダ１４でデコード可能な圧縮方式でエンコードした音声データとしてメモリ１１にあらかじめ記憶させておき、受信の際に、「外部から○○を操作中です」と出力したり、受信から所定時間経過後、「外部から△△が操作されました」という制御信号の内容に基づいて選択した音声案内を出力するようにマイコン３が制御する構成としてもよい。ここで、○○や△△は制御内容であり、例としてセットのＯＮ／ＯＦＦ（オン／オフ）、録音録画、データの転送などがある。このように、本実施の形態についてはいろいろな応用が考えられる。
【００２２】
さらに、カーナビゲーション装置では、カーナビゲーション用の音声データが所定の圧縮方式でエンコードされ、これをデコードするデコーダが搭載されている。また、ユーザはカーナビゲーション装置の所定の操作を行わなければならない場合が多い。そこで、図８に示すように、操作部５でユーザが行うべき所定の操作が行われなかったときに所定の操作を示す音声案内を、あらかじめオーディオデコーダ１４がデコード可能な圧縮方式でエンコードした音声データで記憶し、所定の操作が行われなかったときにオーディオデコーダ１４が音声データをデコードして外部スピーカＳＰに出力するように制御するようにしてもよい。
【図面の簡単な説明】
【００２３】
【図１】本発明に係るオーディオ再生装置の一実施の形態としてマルチチャンネルのＡＶアンプを示すブロック図である。
【図２】図１において音声案内を再生するときの信号処理を示すブロック図である。
【図３】図１のＤＳＰの詳細な構成を示すブロック図である。
【図４】一般的な７．１ｃｈのスピーカ配置を示した図である。
【図５】巡回テストトーン出力時の音声案内出力動作を示すフローチャートである。
【図６】ＤＶＤプレーヤからの入力時の動作を説明するためのフローチャートである。
【図７】ネットワークに接続したＡＶアンプを示すブロック図である。
【図８】本発明に係るカーナビゲーション装置のＡＶアンプを示すブロック図である。
【符号の説明】
【００２４】
１  ＤＳＰ
３  マイクロコンピュータ
５  操作部
１１  メモリ
１２、１６  セレクタ
１４  オーディオデコーダ
１５  テストトーン信号発生部
１７  サンプリングレート・コンバータ
【図１】
2007184861.tif 000003
【図２】
2007184861.tif 000004
【図３】
2007184861.tif 000005
【図４】
2007184861.tif 000006
【図５】
2007184861.tif 000007
【図６】
2007184861.tif 000008
【図７】
2007184861.tif 000009
【図８】
2007184861.tif 000010